(57)【要約】【課題】媒体の損傷の程度を適切に判断できるようにする。【解決手段】紙幣管理システム１では、現金自動預払機３において入金処理を行う際、入金された各紙幣から記番号を読み取って紙幣管理装置２へ送信する。紙幣管理装置２は、記番号ごとに紙幣が取り扱われた回数を取扱回数として計数し、この取扱回数が閾値を超えた場合、現金自動預払機３に「要回収」の判定結果を通知して当該紙幣を回収させる。これにより紙幣管理システム１は、各現金自動預払機３における取扱回数の合計値が比較的多い場合に、当該紙幣における損傷の程度が比較的大きいものと見なして回収することができる。【選択図】図４
2016012259.tif 000002
【特許請求の範囲】
【請求項１】
一意の識別符号が付された媒体を処理する媒体処理装置と、当該媒体処理装置と通信する管理装置とを有する媒体管理システムであって、
前記媒体処理装置は、
前記媒体から前記識別符号を含む識別情報を取得する取得部
を具え、
前記媒体処理装置又は前記管理装置の少なくとも一方は、
前記識別情報から前記識別符号を認識する認識部
を具え、
前記管理装置は、
前記認識部により認識された前記識別符号を基に、前記媒体が前記媒体処理装置において取り扱われた回数である取扱回数を計数する計数部と、
前記媒体の前記識別符号と対応付けて前記取扱回数を記憶する記憶部と
を具えることを特徴とする媒体管理システム。
【請求項２】
前記媒体処理装置又は前記管理装置の少なくとも一方は、
所定の閾値を記憶する閾値記憶部と、
前記取扱回数が前記閾値を超えたか否かを判定する判定部と
をさらに具えることを特徴とする請求項１に記載の媒体管理システム。
【請求項３】
前記媒体処理装置は、
前記媒体を搬送する搬送部と、
特定の前記媒体を他の前記媒体と区別して収納する区別収納庫と、
前記判定部により前記取扱回数が前記閾値を超えたと判定された前記媒体を、前記搬送部により前記区別収納庫へ搬送させるよう制御する搬送制御部と
をさらに具えることを特徴とする請求項２に記載の媒体管理システム。
【請求項４】
前記媒体処理装置は、
利用者との間で前記媒体を授受する授受部と、
前記媒体を収納する収納庫と、
をさらに具え、
前記取得部は、前記授受部において前記利用者から受け渡された前記媒体から前記識別情報を取得し、
前記搬送制御部は、前記判定部において前記取扱回数が前記閾値を超えたと判定された媒体を前記搬送部により前記区別収納庫へ搬送させ、他の前記媒体を前記収納庫へ搬送させるよう制御する
ことを特徴とする請求項３に記載の媒体管理システム。
【請求項５】
前記媒体処理装置は、
利用者との間で前記媒体を授受する授受部と、
前記媒体を収納する収納庫と
をさらに具え、
前記搬送制御部は、前記収納庫に収納されている前記媒体を前記授受部へ搬送し前記利用者に受け渡す受渡取引において、前記収納庫から繰り出した前記媒体から前記取得部により前記識別情報を取得させ、前記認識部において当該識別情報から認識された前記識別符号と対応付けて前記記憶部に記憶されている前記取扱回数が、前記判定部において前記閾値を超えたと判定された場合、当該媒体を前記区別収納庫へ搬送させるよう制御する
ことを特徴とする請求項３に記載の媒体管理システム。
【請求項６】
前記管理装置は、２以上の前記媒体処理装置と通信し、
前記管理装置の前記計数部は、前記媒体処理装置それぞれにおいて前記媒体が取り扱われた回数の合計値を前記取扱回数として計数する
ことを特徴とする請求項１に記載の媒体管理システム。
【請求項７】
前記認識部は、所定の利用者と前記媒体処理装置との間で行われる取引の終了後に前記識別情報から前記識別符号を認識する
ことを特徴とする請求項１に記載の媒体管理システム。
【請求項８】
前記取得部は、前記媒体から前記識別符号を含む範囲の画像を前記識別情報として生成し、
前記認識部は、前記識別情報としての前記画像から前記識別符号を認識する
ことを特徴とする請求項１に記載の媒体管理システム。
【請求項９】
一意の識別符号が付された媒体から当該識別符号を含む識別情報を取得する取得部と、
前記識別情報から前記識別符号を認識する認識部と、
前記認識部により認識された前記識別符号を基に、前記媒体が取り扱われた回数である取扱回数を計数する計数部と、
前記媒体の前記識別符号と対応付けて前記取扱回数を記憶する記憶部と
を具えることを特徴とする媒体処理装置。
【発明の詳細な説明】
【技術分野】
【０００１】
本発明は媒体管理システム及び媒体処理装置に関し、例えば利用者に要求された紙幣等の媒体を繰り出して所望の取引を行う現金自動預払機（ＡＴＭ：Automatic Teller Machine）に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣を鑑別する鑑別部と、投入された紙幣を一時的に保留する一時保留部と、紙幣を金種ごとに格納する紙幣収納庫と、全体を制御する制御部等とを有するものが提案されている。
【０００４】
現金自動預払機は、例えば入金取引において、利用者により入出金部に投入された紙幣を１枚ずつに分離して取り込み、搬送部により鑑別部へ搬送して鑑別させ、その鑑別結果を基に制御部によって搬送先を決定した上で一時保留部に収納させる。その後現金自動預払機は、一時保留部に収納している紙幣をそれぞれ決定された搬送先へ搬送して収納させる。
【０００５】
ところで各紙幣には、一意の識別符号である記番号がそれぞれ付されている。この記番号は、例えば複数桁の英文字及び数字の組み合わせにより構成される。またこの記番号は、特定の桁により、紙幣が発行された時期を特定することができる場合がある。
【０００６】
一方、紙幣は一般に紙で構成されており、市場で流通する過程において、折り曲げられる等して様々に取り扱われ、損傷の程度が高まっていく。このため金融機関等では、破損や現金自動預払機における搬送異常等を未然に防ぐ観点から、損傷の程度がある程度以上に高い紙幣を回収する場合がある。
【０００７】
そこで現金自動預払機のなかには、紙幣の発行時期が表された記番号を基に、発行後の経過期間が所定の閾値を超える紙幣を、損傷の程度が高まったものと見なし、回収するものがある。例えば、現金自動預払機として、回収対象となる紙幣の記番号を回収記番号リスト等により予め記憶しておき、入金取引において入金された紙幣の記番号を鑑別部により読み取り、読み取った記番号が回収記番号リストに記載されていれば、当該紙幣を他の紙幣と区別して収納するものが提案されている（例えば、特許文献１参照）。
【先行技術文献】
【特許文献】
【０００８】
【特許文献１】特開２０１３−１６４６７９号公報
【発明の概要】
【発明が解決しようとする課題】
【０００９】
ところで、個々の紙幣における流通経過は様々である。例えば、長期間保管されていた紙幣は、発行後に十分な期間が経過していたとしても、損傷の程度が小さく、回収する必要性が低いと言える。
【００１０】
しかしながら、上述した構成の現金自動預払機では、記番号から識別できる発行後の経過期間を基に紙幣を回収するか否かを判定する。このため現金自動預払機は、損傷の程度が小さく市場での流通が十分に可能な紙幣、すなわち回収する必要性が低い紙幣であっても、損傷の程度が大きいと見なして回収してしまう、という問題があった。
【００１１】
本発明は以上の点を考慮してなされたもので、媒体の損傷の程度を適切に判断できる媒体管理システム及び媒体処理装置を提案しようとするものである。
【課題を解決するための手段】
【００１２】
かかる課題を解決するため本発明の媒体管理システムにおいては、一意の識別符号が付された媒体を処理する媒体処理装置と、当該媒体処理装置と通信する管理装置とを有する媒体管理システムであって、媒体処理装置には、媒体から識別符号を含む識別情報を取得する取得部を設け、媒体処理装置又は管理装置の少なくとも一方には、識別情報から識別符号を認識する認識部を設け、管理装置には、認識部により認識された識別符号を基に、媒体が媒体処理装置において取り扱われた回数である取扱回数を計数する計数部と、媒体の識別符号と対応付けて取扱回数を記憶する記憶部とを設けるようにした。
【００１３】
また本発明の媒体処理装置においては、一意の識別符号が付された媒体から当該識別符号を含む識別情報を取得する取得部と、識別情報から識別符号を認識する認識部と、認識部により認識された識別符号を基に、媒体が取り扱われた回数である取扱回数を計数する計数部と、媒体の識別符号と対応付けて取扱回数を記憶する記憶部とを設けるようにした。
【００１４】
本発明では、識別符号により媒体を個別に特定した上で、各媒体が取り扱われた回数を表す取扱回数をそれぞれ計数し記憶しておくことで、この取扱回数の多さを基に、当該媒体に生じる損傷の大きさを擬似的に把握することができる。
【発明の効果】
【００１５】
本発明によれば、媒体の個別の取扱回数を計数することで、媒体の損傷の程度を適切に判断できる媒体管理システム及び媒体処理装置を実現できる。
【図面の簡単な説明】
【００１６】
【図１】紙幣管理システムの構成を示す略線図である。
【図２】現金自動預払機の構成を示す略線的斜視図である。
【図３】紙幣入出金機の構成を示す略線図である。
【図４】第１の実施の形態による紙幣管理システムの機能構成を示す略線図である。
【図５】画像データからの記番号の読取を示す略線図である。
【図６】取扱回数管理テーブルの構成を示す略線図である。
【図７】第１の実施の形態による入金処理手順を示すフローチャートである。
【図８】第１の実施の形態による取扱回数管理処理手順を示すフローチャートである。
【図９】回収済み記番号リストの構成を示す略線図である。
【図１０】表示画面の構成を示す略線図である。
【図１１】第２の実施の形態による紙幣管理システムの機能構成を示す略線図である。
【図１２】第２の実施の形態による入金処理手順を示すフローチャートである。
【図１３】第２の実施の形態による取扱回数管理処理手順を示すフローチャートである。
【図１４】第３の実施の形態による紙幣管理システムの機能構成を示す略線図である。
【図１５】第３の実施の形態による入金処理手順を示すフローチャートである。
【図１６】第３の実施の形態による取扱回数管理処理手順を示すフローチャートである。
【図１７】第３の実施の形態による出金処理手順を示すフローチャートである。
【図１８】他の実施の形態による現金自動預払機の機能構成を示す略線図である。
【発明を実施するための形態】
【００１７】
以下、発明を実施するための形態（以下実施の形態とする）について、図面を用いて説明する。
【００１８】
［１．第１の実施の形態］
［１−１．紙幣管理システムの構成］
図１に示すように、第１の実施の形態による紙幣管理システム１は、１台の紙幣管理装置２と、複数台の現金自動預払機３とが通信回線４を介して互いに接続された構成となっている。このうち現金自動預払機３は、例えば金融機関の各店舗等に設置されている。また紙幣管理装置２は、例えば金融機関の各店舗とは別に設けられた管理センタ等に設置されている。
【００１９】
現金自動預払機３は、図２に外観を示すように、箱状の筐体１２を中心に構成されており、例えば金融機関等に設置され、利用者との間で入金取引や出金取引等の現金に関する取引を行う。以下では、現金自動預払機３のうち利用者が対峙する側を前側とし、その反対を後側とし、当該前側に対峙した利用者から見て左及び右をそれぞれ左側及び右側とし、さらに上側及び下側を定義して説明する。
【００２０】
筐体１２は、その前側に利用者が対峙した状態で紙幣の投入やタッチパネルによる操作等をしやすい箇所に利用者応対部１３が設けられている。利用者応対部１３は、金融機関の利用者等の利用者との間で現金や通帳等を直接やり取りすると共に、取引に関する情報の通知や操作指示の受付を行うようになっており、カード入出口１４、入出金口１５、操作表示部１６、テンキー１７、及びレシート発行口１８が設けられている。
【００２１】
カード入出口１４は、キャッシュカード等の各種カードが挿入又は排出される部分である。カード入出口１４の奥側には、各種カードに磁気記録された口座番号等の読み取りを行うカード処理部１４Ａ（図４）が設けられている。入出金口１５は、利用者が入金する紙幣が投入されると共に、利用者へ出金する紙幣が排出される部分である。
【００２２】
操作表示部１６は、取引に際して操作画面を表示するＬＣＤ（Liquid Crystal Display）と、取引の種類の選択、暗証番号や取引金額等を入力するタッチセンサとが一体化されたタッチパネルとなっている。テンキー１７は、「０」〜「９」の数字等の入力を受け付ける物理キーであり、暗証番号や取引金額等の入力操作時に用いられる。レシート発行口１８は、取引処理の終了時に取引内容等を印字したレシートを発行する部分である。因みにレシート発行口１８の奥側には、レシートに取引内容等を印字するレシート処理部１８Ａ（図４）が設けられている。
【００２３】
筐体１２内には、現金自動預払機３全体を統括制御する主制御部１９や、紙幣に関する種々の処理を行う紙幣入出金機２０等が設けられている。
【００２４】
主制御部１９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部１９は、ＲＡＭ（Random Access Memory）、ハードディスクドライブやフラッシュメモリ等でなる主記憶部１９Ｍと接続されており、この主記憶部１９Ｍに種々の情報を記憶させる。
【００２５】
紙幣入出金機２０は、図３に側面図を示すように、その内部に紙幣制御部２１、入出金部２３、搬送部２４、鑑別部２５、一時保留部２６、紙幣収納庫２７、リジェクト庫２８及び偽券収納庫２９が設けられている。
【００２６】
また紙幣入出金機２０が取り扱う紙幣には、記番号が付されている。この記番号は、各紙幣に一意に割り当てられた識別符号であり、複数の文字や記号の組み合わせで構成されている。この記番号は、個別の紙幣を特定する場合等に利用される。
【００２７】
紙幣制御部２１は、図４に現金自動預払機３全体を含む紙幣入出金機２０のブロック構成を示すように、主制御部１９と連携しながら、当該紙幣入出金機２０を統括的に制御する。紙幣制御部２１は、主制御部１９と同様、図示しないＣＰＵを中心に構成されており、所定のプログラムを実行することにより、入金処理や出金処理等、種々の処理を行う。
【００２８】
また紙幣制御部２１には、ＲＡＭ及びフラッシュメモリ等でなる紙幣記憶部２２が接続されている。紙幣記憶部２２は、入金プログラム等の各種プログラムや種々の情報も記憶している。
【００２９】
授受部としての入出金部２３（図３）は、上方が開放された箱状の収容器２３Ａを中心に構成されている。収容器２３Ａは、利用者へ受け渡すべき紙幣又は利用者から受け渡される紙幣を前後方向に沿って整列した状態で収容する。この収容器２３Ａの上方には、開閉可能なシャッタ２３Ｂが設けられている。また入出金部２３は、収容器２３Ａ内に収容されている紙幣を１枚ずつに分離して搬送部２４に受け渡す分離部（図示せず）も有している。
【００３０】
搬送部２４は、図示しないモータ、ローラ、ベルト及びガイド等により紙幣入出金機２０内の各部を結ぶような搬送経路を形成している。この搬送部２４は、ローラを適宜回転させ、またベルトを適宜走行させることにより、紙幣の短辺に沿った方向を進行方向として、この搬送経路に沿って搬送する。
【００３１】
鑑別部２５は、内部に光学センサ、イメージセンサや磁気センサ等の各種センサを有している。鑑別部２５は、この各種センサから得られた検出結果を基に、紙幣の金種を判別し、また正当な紙幣（いわゆる正券）又は偽造された紙幣（いわゆる偽造券若しくは偽券）の何れであるかを判別し、さらに損傷の程度等を判別する。説明の都合上、以下ではこれらの判別処理の結果をまとめて鑑別結果と呼ぶ。また鑑別部２５は、得られた鑑別結果を紙幣制御部２１へ通知する。これに応じて紙幣制御部２１は、得られた鑑別結果を基に各紙幣の搬送先を決定する。
【００３２】
一時保留部２６は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。因みに一時保留部２６は、最大で例えば２００枚の紙幣を収納することができる。
【００３３】
紙幣収納庫２７（２７Ａ、２７Ｂ、２７Ｃ及び２７Ｄ）は、内部に多数の紙幣を集積して収納する。この紙幣収納庫２７は、例えば入金取引において、鑑別部２５の鑑別結果を基に紙幣制御部２１によって損傷の程度が小さく再利用可能と判別された紙幣が、金種ごとに振り分けられ搬送部２４により搬送されてくると、これを取り込んで収納する。また紙幣収納庫２７は、出金取引において、紙幣制御部２１の制御に基づき、指示された枚数の紙幣を１枚ずつに分離して繰り出し、搬送部２４に順次受け渡す。
【００３４】
区別収納庫としてのリジェクト庫２８は、鑑別部２５において損傷の程度が大きく再利用すべきでないと鑑別された紙幣（いわゆるリジェクト紙幣）を収納する。偽券収納庫２９は、鑑別部２５において偽券と判別された紙幣を収納する。
【００３５】
［１−２．紙幣制御部及び管理制御部の機能構成］
ところで紙幣制御部２１は、後述する入金プログラム等を実行することにより、図４に示したように、内部に鑑別制御部３１、画像切出部３２、認識部３３、搬送制御部３７及び通信処理部３９といった複数の機能ブロックを形成する。
【００３６】
鑑別制御部３１は、図５（Ａ）に示すように、鑑別部２５のイメージセンサから紙幣全体を表す画像データＧ１を取得し、これを画像切出部３２へ供給する。画像切出部３２は、図５（Ｂ）に示すように、画像データＧ１のうち記番号を含む部分を切り出して切出画像データＧ２とし、これを認識部３３へ供給する。認識部３３は、図５（Ｃ）に示すように、切出画像データＧ２に対して文字認識処理を施すことにより、文字列でなる記番号Ｎを認識し、これを紙幣記憶部２２に一時的に記憶させる。
【００３７】
搬送制御部３７は、鑑別部２５から得られた鑑別結果を基に各紙幣の搬送先を決定すると共に、搬送部２４を制御することにより、各紙幣をそれぞれの搬送先へ搬送させる。通信処理部３９は、主制御部１９及び通信回線４を介して紙幣管理装置２との間で種々の情報を送受信する。
【００３８】
一方、紙幣管理装置２は、一般的なコンピュータ装置と同様に、全体を制御する管理制御部４１と、種々の情報を記憶する管理記憶部４２とを有している。管理制御部４１は、紙幣制御部２１と同様、図示しないＣＰＵを中心に構成されており、所定のプログラムを実行することにより、取扱回数管理処理等の種々の処理を行う。
【００３９】
管理記憶部４２は、紙幣に関する情報を格納した取扱回数管理テーブルＴ１を記憶している。取扱回数管理テーブルＴ１は、図６に示すように、紙幣の記番号を格納する記番号欄及び取扱回数を格納する取扱回数欄を有している。
【００４０】
この取扱回数は、各紙幣が紙幣管理システム１の各現金自動預払機３において取り扱われた取扱回数、具体的には各現金自動預払機３の入金処理において入金された頻度の積算値である。すなわち取扱回数管理テーブルＴ１は、各紙幣の記番号と対応付けることで紙幣を個別に特定しながら、現金自動預払機３において取り扱われた回数を管理している。因みに管理記憶部４２には、紙幣の金種毎に取扱回数管理テーブルＴ１が設けられている。
【００４１】
例えば取扱回数の値が比較的小さいことは、各現金自動預払機３において取り扱われた回数が少なく、市場における流通の頻度が低いことを意味するため、紙幣の損傷の程度が小さいと考えられる。反対に、取扱回数の値が比較的大きいことは、各現金自動預払機３において取り扱われた回数が多く、市場における流通の頻度が高いことを意味するため、紙幣の損傷の程度が大きいと考えられる。
【００４２】
このため取扱回数管理テーブルＴ１は、現金自動預払機３において取り扱われた回数を記番号と対応付けて管理することで、各紙幣における損傷の程度を間接的に管理することになる。
【００４３】
また管理制御部４１は、所定のプログラムを実行することにより、図４に示したように、照合部５１、登録部５２、計数部５３、判定部５５及び通信処理部５９といった複数の機能ブロックを形成する。
【００４４】
通信処理部５９は、通信回線４を介して紙幣管理装置２との間で種々の情報を送受信する。具体的に通信処理部５９は、例えば紙幣管理装置２から紙幣の金種及び記番号を取得する。
【００４５】
照合部５１は、紙幣管理装置２から取得した記番号（以下これを対象記番号と呼ぶ）と、管理記憶部４２の取扱回数管理テーブルＴ１に記憶されている各記番号とを照合する。登録部５２は、対象記番号が取扱回数管理テーブルＴ１に記憶されていなかった場合、当該取扱回数管理テーブルＴ１に対象記番号を登録する。因みにこのとき対象記番号と対応付けて記憶される取扱回数は「０」となる。
【００４６】
計数部５３は、対象記番号が付された紙幣が現金自動預払機３において取り扱われた取扱回数を計数する。具体的に計数部５３は、取扱回数管理テーブルＴ１から対象記番号と対応付けられている取扱回数を読み出し、これに値「１」を加算して再び記憶させることにより、この取扱回数を更新する。
【００４７】
判定部５５は、対象記番号と対応付けられた取扱回数、すなわち対象紙幣が現金自動預払機３において取り扱われた回数を、管理記憶部４２に予め記憶している所定の閾値と比較し、当該取扱回数が当該閾値以上であるか否かを判定する。ここで得られた判定結果は、通信処理部５９により、通信回線４を介して現金自動預払機３へ送信される。
【００４８】
このように紙幣管理装置２は、各紙幣が現金自動預払機３により取り扱われた回数を取扱回数管理テーブルＴ１により管理すると共に、この取扱回数が所定の閾値以上であるか否かを判定し、その判定結果を現金自動預払機３へ送信するようになっている。
【００４９】
［１−３．入金処理及び取扱回数管理処理］
次に、現金自動預払機３において利用者との間で入金取引を行う場合に実行する入金処理について説明する。現金自動預払機３においてこの入金処理を実行する場合、紙幣管理装置２は、後述する管理処理を実行することにより、当該現金自動預払機３と連携するようになっている。
【００５０】
例えば現金自動預払機３は、利用者と取引処理を行い得る状態、いわゆる運用状態にあるとき、操作表示部１６（図２）に所定のメニュー画面（図示せず）を表示した状態で、利用者から各種取引処理を開始する操作指示を待ち受けている。
【００５１】
現金自動預払機３の主制御部１９は、利用者から入金取引を開始する操作指示を受け付けると、紙幣入出金機２０の紙幣制御部２１に対し入金処理の開始を指示する。これに応じて紙幣制御部２１は、紙幣記憶部２２から所定の入金プログラムを読み出して実行することにより、図７に示す入金処理手順ＲＴ１を開始してステップＳＰ１へ移る。
【００５２】
ステップＳＰ１において紙幣制御部２１は、入出金部２３のシャッタ２３Ｂを開いて収容器２３Ａ内へ紙幣を投入させる。入出金部２３は、利用者により収容器２３Ａに紙幣が投入された上で、操作表示部１６を介して取込開始の操作指示を受け付けると、シャッタ２３Ｂを閉塞して次のステップＳＰ２へ移る。
【００５３】
ステップＳＰ２において紙幣制御部２１は、入出金部２３の分離部（図示せず）により収容器２３Ａ内から１枚の紙幣（以下これを対象紙幣と呼ぶ）を分離して搬送部２４に受け渡させ、当該搬送部２４により対象紙幣を鑑別部２５へ搬送させて、次のステップＳＰ３へ移る。
【００５４】
ステップＳＰ３において紙幣制御部２１は、鑑別制御部３１（図４）により鑑別部２５を制御して対象紙幣を鑑別させると共に、当該鑑別部２５から鑑別結果及び画像データＧ１（図５）を取得して、次のステップＳＰ４へ移る。ステップＳＰ４において紙幣制御部２１は、画像切出部３２（図４）により、画像データＧ１から記番号を含む部分を切り出して切出画像データＧ２（図５）とし、次のステップＳＰ５へ移る。
【００５５】
ステップＳＰ５において紙幣制御部２１は、認識部３３（図４）によって切出画像データＧ２に対して文字認識処理を施すことにより、文字列でなる記番号Ｎ（図５）を認識し、次のステップＳＰ６へ移る。ステップＳＰ６において紙幣制御部２１は、通信処理部３９により記番号Ｎを紙幣管理装置へ送信し、次のステップＳＰ７へ移る。
【００５６】
一方、紙幣管理装置２の管理制御部４１は、図８に示す取扱回数管理処理手順ＲＴ２を開始しており、ステップＳＰ２１において記番号（以下これを対象記番号と呼ぶ）を受信して次のステップＳＰ２２へ移る。ステップＳＰ２２において管理制御部４１は、照合部５１（図４）により、管理記憶部４２に記憶されている取扱回数管理テーブルＴ１（図６）を参照し、登録されている各記番号と対象記番号とを順次照合して、次のステップＳＰ２３へ移る。
【００５７】
ステップＳＰ２３において管理制御部４１は、照合部５１により、対象記番号が取扱回数管理テーブルＴ１に登録されているか否かを判定する。ここで肯定結果が得られると、管理制御部４１は次のステップＳＰ２４へ移り、照合部５１により取扱回数管理テーブルＴ１から対象記番号と対応付けられた取扱回数を読み出し、次のステップＳＰ２６へ移る。
【００５８】
一方、ステップＳＰ２３において否定結果が得られると、管理制御部４１は次のステップＳＰ２５へ移り、登録部５２（図４）により、取扱回数管理テーブルＴ１に対象記番号を登録すると共にその取扱回数を「０」とし、次のステップＳＰ２６へ移る。
【００５９】
ステップＳＰ２６において管理制御部４１は、計数部５３（図４）により、取扱回数管理テーブルＴ１に対象記番号と対応付けて登録されている取扱回数に値「１」を加算して更新し、次のステップＳＰ２７へ移る。ステップＳＰ２７において管理制御部４１は、判定部５５（図４）により、対象記番号と対応付けられた取扱回数、すなわち更新後の取扱回数を、管理記憶部４２に記憶している閾値と比較し、次のステップＳＰ２８へ移る。
【００６０】
ステップＳＰ２８において管理制御部４１は、判定部５５により、更新後の取扱回数が閾値以上であるか否かを判定する。ここで肯定結果が得られると、このことは対象記番号と対応付けられた取扱回数が比較的多く、対象紙幣が現金自動預払機３において取り扱われた頻度が比較的高いため、当該対象紙幣における損傷の程度も比較的大きいと推定されることを意味している。このとき管理制御部４１は、次のステップＳＰ２９へ移り、現金自動預払機３において対象紙幣を再利用すること無く回収させるために、判定部５５により、判定結果を「要回収」に設定して、次のステップＳＰ３１へ移る。
【００６１】
一方、ステップＳＰ２８において否定結果が得られると、このことは対象記番号と対応付けられた取扱回数が比較的少なく、対象紙幣が現金自動預払機３において取り扱われた頻度が比較的低いため、当該対象紙幣における損傷の程度も比較的小さいと推定されることを意味している。このとき管理制御部４１は、次のステップＳＰ３０へ移り、現金自動預払機３において対象紙幣を再利用させるために、判定部５５により、判定結果を「非回収」に設定して、次のステップＳＰ３１へ移る。
【００６２】
ステップＳＰ３１において管理制御部４１は、通信処理部５９により、判定結果を通信回線４経由で現金自動預払機３へ送出した後、次のステップＳＰ３２へ移って取扱回数管理処理手順ＲＴ２を終了する。
【００６３】
これに応じて現金自動預払機３の紙幣制御部２１は、入金処理手順ＲＴ１（図７）のステップＳＰ７において、紙幣管理装置２からの判定結果を受信し、次のステップＳＰ８へ移る。ステップＳＰ８において紙幣制御部２１は、ステップＳＰ３において得られた鑑別結果及びステップＳＰ７において得られた判定結果を基に紙幣の搬送先を決定して次のステップＳＰ９へ移る。
【００６４】
因みに紙幣の搬送先は、紙幣と認められなかったもの（いわゆる入金リジェクト紙幣）であれば入出金部２３となり、偽券であれば偽券収納庫２９となり、正券であり再利用可能であれば金種に応じて紙幣収納庫２７Ａ〜２７Ｄとなり、正券であり再利用不可能であるか、或いは判定結果が「要回収」であればリジェクト庫２８となる。また決定された搬送先は、紙幣記憶部２２に一時的に記憶される。
【００６５】
ステップＳＰ９において紙幣制御部２１は、対象紙幣を搬送先に応じて搬送し、次のステップＳＰ１０へ移る。具体的に紙幣制御部２１は、決定した搬送先が入出金部２３である紙幣、すなわち入金リジェクト紙幣を入出金部２３へ搬送して利用者に返却し、搬送先がそれ以外である紙幣を一時保留部２６へ搬送して収納させる。
【００６６】
ステップＳＰ１０において紙幣制御部２１は、ステップＳＰ１において入出金部２３に投入された全ての紙幣を装置内部へ取り込んだか否か、すなわち入出金部２３内に紙幣が残っていないか否かを判定する。ここで否定結果が得られると、紙幣制御部２１は、再度ステップＳＰ２へ戻って一連の処理を繰り返すことにより、収容器２３Ａ内の残りの紙幣を順次搬送し記番号を読み取って送信し、それぞれの搬送先を決定した上で一時保留部２６に収納させていく。
【００６７】
一方、ステップＳＰ１０において肯定結果が得られると、紙幣制御部２１は次のステップＳＰ１１へ移り、一時保留部２６に収納している全ての紙幣を、紙幣記憶部２２に記憶しているそれぞれの搬送先、すなわち紙幣収納庫２７Ａ〜２７Ｄ、リジェクト庫２８又は偽券収納庫２９へ搬送させ、次のステップＳＰ１２へ移って入金処理手順ＲＴ１を終了する。
【００６８】
因みに紙幣制御部２１は、所定の取引中止指示を受け付けた場合、一時保留部２６に収納している全ての紙幣を、入出金部２３へ搬送して利用者に返却する。
【００６９】
このように紙幣制御部２１は、入金処理において、紙幣管理装置２の管理制御部４１と連携しながら、入金された紙幣の記番号を基にそれぞれの取扱回数を計数し、当該取扱回数が比較的少ない場合には再利用し、取扱回数が比較的多い場合に再利用せず回収するようになっている。
【００７０】
［１−４．回収済記番号リストＬ１］
ところで紙幣入出金機２０の紙幣記憶部２２には、図９に示すように、記番号を格納するための回収済記番号リストＬ１が記憶されている。紙幣制御部２１は、入金処理手順ＲＴ１のステップＳＰ８において搬送先を決定する際、「要回収」であった紙幣の記番号をこの回収済記番号リストＬ１に登録する。
【００７１】
また紙幣制御部２１は、保守作業員等により保守作業が行われる際、操作表示部１６及びテンキー１７を介して所定の操作がなされることにより、図１０に示す表示画面Ｄ１を当該操作表示部１６に表示させる。
【００７２】
表示画面Ｄ１は、回収済記番号リストＬ１に関する操作指示を受け付けるための画面となっており、いわゆるＧＵＩ（Graphical User Interface）として構成され、上下方向に沿って３個のボタンＢ１、Ｂ２及びＢ３が配置されている。ボタンＢ１、Ｂ２及びＢ３には、それぞれ「回収した紙葉類のリスト作成＆プリント」、「回収した紙葉類のリスト表示」及び「回収した紙葉類の登録機番号の削除」といった文字が表示されている。
【００７３】
ボタンＢ１が押下操作された場合、紙幣制御部２１は、主制御部１９と協働することにより、回収済記番号リストＬ１に登録されている記番号をレシート処理部１８Ａからレシートに印字して排出させる。ボタンＢ２が押下操作された場合、紙幣制御部２１は、回収済記番号リストＬ１に登録されている記番号を操作表示部１６に表示させる。ボタンＢ３が押下操作された場合、紙幣制御部２１は、回収済記番号リストＬ１に登録されている記番号を全て削除する。
【００７４】
このように紙幣制御部２１は、要回収と判定されて回収された紙幣の記番号を回収済み記番号リストに登録しておき、表示画面Ｄ１を介して保守作業員から操作指示を受け付けた場合、この回収済記番号リストＬ１に関する種々の処理を行うようになっている。
【００７５】
［１−５．動作及び効果］
以上の構成において、第１の実施の形態による紙幣管理システム１では、現金自動預払機３において入金処理を行う際、入金された各紙幣から記番号を読み取り、これを紙幣管理装置２へ送信する。
【００７６】
紙幣管理装置２は、現金自動預払機３から記番号が送信された回数を計数して取扱回数とし、これを取扱回数管理テーブルＴ１（図４）により管理することで、それぞれの紙幣が取り扱われた回数を個別に計数する。また紙幣管理装置２は、この取扱回数が閾値を超えた場合、現金自動預払機３に「要回収」の判定結果を通知して当該紙幣を回収させる。
【００７７】
すなわち紙幣管理システム１は、各現金自動預払機３において取り扱われた回数の合計値が比較的多い場合に、当該紙幣における損傷の程度が比較的大きいものと見なし、回収することができる。
【００７８】
これを換言すれば、紙幣管理システム１では、現金自動預払機３の鑑別部２５におけるイメージセンサにより撮像された画像等からでは判別が難しいような損傷を有していたとしても、取扱回数の多さを損傷の程度の大きさと見なすことで、適切に回収することができる。また紙幣管理システム１では、例えば発行されてからの期間が長い紙幣であっても、取扱回数が少ない場合には再利用することで、不必要に回収することが無い。
【００７９】
さらに現金自動預払機３は、入金処理において紙幣管理装置２から得られた判定結果が「要回収」であった場合、鑑別結果を基に再利用可能と判断していた紙幣であっても、紙幣収納庫２７へ搬送せず、リジェクト庫２８へ搬送して回収する。このため現金自動預払機３は、入金処理の完了後に改めて「要回収」の紙幣を選別するための処理を行う必要が無い。
【００８０】
また紙幣管理システム１では、複数台の現金自動預払機３において紙幣の取扱回数を紙幣管理装置２により取扱回数管理テーブルＴ１を用いて一元的に管理する。このため紙幣管理システム１では、現金自動預払機３が個別に取扱回数を計数する場合と比較して、各紙幣が実際に市場で流通している状態がより適切に反映された、より精度の高い取扱回数を計数することができる。
【００８１】
そのうえ現金自動預払機３は、表示画面Ｄ１（図１０）を介してボタンＢ１又はＢ２の操作指示を受け付けた場合、回収済記番号リストＬ１に格納している記番号をレシートに印字し、又は操作表示部１６に表示することができる。これにより現金自動預払機３は、例えば「要回収」と判定された紙幣が実際にリジェクト庫２８に回収されているか否かを保守作業員等が確認する際に、その確認作業を容易に行わせることができる。
【００８２】
また現金自動預払機３は、表示画面Ｄ１（図１０）を介してボタンＢ３の操作指示を受け付けた場合、回収済記番号リストＬ１に格納している記番号を全て削除することができる。これにより現金自動預払機３は、例えば保守作業においてリジェクト庫２８内の紙幣が取り出される際に、回収済記番号リストＬ１の記番号を削除させることで、その後の入金取引においてリジェクト庫２８に回収される紙幣と回収済記番号リストＬ１の内容とを一致させることができる。
【００８３】
以上の構成によれば、第１の実施の形態による紙幣管理システム１では、現金自動預払機３において入金処理を行う際、入金された各紙幣から記番号を読み取って紙幣管理装置２へ送信する。紙幣管理装置２は、記番号ごとに紙幣が取り扱われた回数を取扱回数として計数し、この取扱回数が閾値を超えた場合、現金自動預払機３に「要回収」の判定結果を通知して当該紙幣を回収させる。これにより紙幣管理システム１は、各現金自動預払機３における取扱回数の合計値が比較的多い場合に、当該紙幣における損傷の程度が比較的大きいものと見なして回収することができる。
【００８４】
［２．第２の実施の形態］
［２−１．紙幣管理システムの構成］
第２の実施の形態による紙幣管理システム１０１（図１）は、紙幣管理装置２及び現金自動預払機３に代わる紙幣管理装置１０２及び現金自動預払機１０３により構成されている。
【００８５】
図４と対応する図１１に示すように、紙幣管理装置１０２は、第１の実施の形態による紙幣管理装置２と比較して、管理制御部４１に代わる管理制御部１４１を有している。管理制御部１４１は、第１の実施の形態による管理制御部４１（図４）と比較して、判定部５５が省略されている点において相違するものの、他の点については同様に構成されている。
【００８６】
現金自動預払機１０３は、第１の実施の形態による現金自動預払機３（図４）と比較して、紙幣入出金機２０に代わる紙幣入出金機１２０を有する点において相違するものの、他の点については同様に構成されている。
【００８７】
紙幣入出金機１２０は、第１の実施の形態による紙幣入出金機２０と比較して、紙幣制御部２１及び紙幣記憶部２２に代わる紙幣制御部１２１及び紙幣記憶部１２２を有する点において相違するものの、他の点については同様に構成されている。この紙幣記憶部１２２は、第１の実施の形態における管理記憶部４２と同様、取扱回数と比較するための閾値を記憶している。
【００８８】
紙幣制御部１２１は、第１の実施の形態による紙幣制御部２１と比較して、判定部１５５を有する点において相違するものの、他の点については同様に構成されている。判定部１５５は、第１の実施の形態における判定部５５と同様、対象記番号と対応付けられた取扱回数、すなわち対象紙幣が現金自動預払機１０３において取り扱われた回数を、紙幣記憶部２２に予め記憶している閾値と比較し、当該取扱回数が当該閾値以上であるか否かを判定する。
【００８９】
［２−２．入金処理及び取扱回数管理処理］
現金自動預払機１０３の紙幣制御部１２１は、入金処理を行う場合、第１の実施の形態における入金処理手順ＲＴ１（図７）に代えて、図１２に示す入金処理手順ＲＴ３を実行するようになっている。また紙幣管理装置１０２は、第１の実施の形態による取扱回数管理処理手順ＲＴ２（図８）に代えて、図１３に示す取扱回数管理処理手順ＲＴ４を実行するようになっている。
【００９０】
紙幣制御部１２１は、入金処理手順ＲＴ３を開始してステップＳＰ４１へ移ると、このステップＳＰ４１〜ＳＰ４６において、第１の実施の形態におけるステップＳＰ１〜６と同様の処理を行い、記番号を紙幣管理装置１０２へ送信して次のステップＳＰ４７へ移る。
【００９１】
一方、紙幣管理装置１０２の管理制御部１４１は、取扱回数管理処理手順ＲＴ４を開始してステップＳＰ６１へ移り、このステップＳＰ６１〜ＳＰ６６において第１の実施の形態におけるステップＳＰ２１〜ＳＰ２６と同様の処理を行い、次のステップＳＰ６７へ移る。
【００９２】
ステップＳＰ６７において管理制御部１４１は、通信処理部５９により、更新した取扱回数を通信回線４経由で現金自動預払機１０３へ送出した後、次のステップＳＰ６８へ移って取扱回数管理処理手順ＲＴ４を終了する。
【００９３】
これに応じて現金自動預払機１０３の紙幣制御部１２１は、入金処理手順ＲＴ３（図１２）のステップＳＰ４７において、紙幣管理装置１０２からの取扱回数を受信し、次のステップＳＰ４８へ移る。
【００９４】
紙幣制御部１２１は、ステップＳＰ４８〜ＳＰ５１において、第１の実施の形態におけるステップＳＰ２７〜ＳＰ３０（図８）と同様の処理を行うことにより、取扱回数と閾値との比較結果に応じて判定結果を設定し、次のステップＳＰ５２へ移る。
【００９５】
その後紙幣制御部１２１は、ステップＳＰ５２〜ＳＰ５５において第１の実施の形態におけるステップＳＰ８〜ＳＰ１１と同様の処理を行った後、ステップＳＰ５６へ移って入金処理手順ＲＴ３を終了する。
【００９６】
［２−３．動作及び効果］
以上の構成において、第２の実施の形態による紙幣管理システム１０１では、現金自動預払機１０３において入金処理を行う際、入金された各紙幣から記番号を読み取り、これを紙幣管理装置１０２へ送信する。
【００９７】
紙幣管理装置１０２は、現金自動預払機１０３から記番号が送信された取扱回数を取扱回数管理テーブルＴ１（図４）により管理することで、記番号ごとに紙幣が取り扱われた回数を計数し、この取扱回数を現金自動預払機１０３へ送信する。現金自動預払機１０３は、この取扱回数が閾値を超えた場合、「要回収」と判定して当該紙幣を回収する。
【００９８】
これにより紙幣管理システム１０１は、第１の実施の形態と同様、各現金自動預払機１０３において取り扱われた回数の合計値が比較的多い場合に、当該紙幣における損傷の程度が比較的大きいものと見なし、回収することができる。
【００９９】
また紙幣管理システム１０１は、第１の実施の形態とは異なり、各現金自動預払機１０３の紙幣記憶部２２に閾値を記憶しており、紙幣制御部１２１の判定部１５５において取扱回数と閾値とを比較して判定結果を決定する。
【０１００】
このため紙幣管理システム１０１は、現金自動預払機１０３ごとに異なる閾値を設定することができる。これにより紙幣管理システム１０１では、取扱回数に関しては全ての現金自動預払機１０３において各紙幣が取り扱われた回数を総合的に計数する一方で、例えば現金自動預払機１０３が設置されている金融機関毎や店舗毎に独自の閾値を設定してそれぞれ判定結果を決定する、といった柔軟な運用も可能となる。
【０１０１】
また紙幣管理システム１０１は、その他の点においても第１の実施の形態による紙幣管理システム１と同様の作用効果を奏し得る。
【０１０２】
以上の構成によれば、第２の実施の形態による紙幣管理システム１０１は、現金自動預払機１０３において入金処理を行う際、入金された各紙幣から記番号を読み取って紙幣管理装置１０２へ送信する。紙幣管理装置１０２は、記番号ごとに紙幣が取り扱われた回数を取扱回数として計数し、この取扱回数を現金自動預払機１０３へ送信する。現金自動預払機１０３は、取扱回数が閾値を超えた場合、当該紙幣を「要回収」と判定して回収する。これにより紙幣管理システム１０１は、各現金自動預払機１０３における取扱回数の合計値が比較的多い場合に、当該紙幣における損傷の程度が比較的大きいものと見なして回収することができる。
【０１０３】
［３．第３の実施の形態］
［３−１．紙幣管理システムの構成］
第３の実施の形態による紙幣管理システム２０１（図１）は、紙幣管理装置２及び現金自動預払機３に代わる紙幣管理装置２０２及び現金自動預払機２０３により構成されている。
【０１０４】
図４と対応する図１４に示すように、現金自動預払機２０３は、第１の実施の形態による現金自動預払機３（図４）と比較して、紙幣入出金機２０に代わる紙幣入出金機２２０を有する点において相違するものの、他の点については同様に構成されている。
【０１０５】
紙幣入出金機２２０は、第１の実施の形態による紙幣入出金機２０と比較して、紙幣制御部２１及び紙幣記憶部２２に代わる紙幣制御部２２１及び紙幣記憶部２２２を有する点において相違するものの、他の点については同様に構成されている。
【０１０６】
紙幣制御部２２１は、第１の実施の形態による紙幣制御部２１（図４）と比較して、認識部３３が省略された構成となっている。これに伴い紙幣制御部２２１は、画像切出部３２により生成した切出画像データＧ２を紙幣管理装置２０２へ送信する。また紙幣記憶部２２２は、回収すべき紙幣の記番号を格納する未回収記番号リストを記憶している。
【０１０７】
紙幣管理装置２０２は、第１の実施の形態による紙幣管理装置２と比較して、管理制御部４１及び管理記憶部４２に代えて、管理制御部２４１及び管理記憶部２４２を有している。管理制御部２４１は、第１の実施の形態による管理制御部４１（図４）と比較して、認識部２３３を有する点において相違するものの、他の点については同様に構成されている。
【０１０８】
認識部２３３は、第１の実施の形態における紙幣制御部２１の認識部３３（図４）と同様に構成されており、切出画像データＧ２（図５）に対して文字認識処理を施すことにより、文字列でなる記番号Ｎを認識し、これを管理記憶部２４２に一時的に記憶させる。
【０１０９】
管理記憶部２４２は、第１の実施の形態と同様に取扱回数管理テーブルＴ１（図４）を記憶する他、現金自動預払機２０３から送信された切出画像データＧ２、認識部２３３において認識された記番号Ｎ、及び回収すべき紙幣の記番号を格納する未回収記番号リスト等を記憶している。
【０１１０】
［３−２．入金処理、取扱回数管理処理及び出金処理］
ところでこの第３の実施の形態による紙幣管理システム２０１では、第１の実施の形態とは異なり、切出画像データＧ２から記番号を認識する認識処理及び各紙幣を回収するか否かを判定する判定処理等を、入金取引の終了後に紙幣管理装置２０２により実行するようになっている。さらに紙幣管理システム２０１では、要回収と判定された紙幣を、現金自動預払機２０３における出金取引において回収するようになっている。
【０１１１】
具体的に現金自動預払機２０３の紙幣制御部２２１は、入金処理を行う場合、第１の実施の形態における入金処理手順ＲＴ１（図７）に代えて、図１５に示す入金処理手順ＲＴ５を実行する。紙幣制御部２２１は、入金処理手順ＲＴ５を開始してステップＳＰ７１へ移ると、このステップＳＰ７１〜ＳＰ７４において、第１の実施の形態におけるステップＳＰ１〜４と同様の処理を行い、次のステップＳＰ７５へ移る。
【０１１２】
ステップＳＰ７５において紙幣制御部２２１は、通信処理部３９により切出画像データＧ２を紙幣管理装置２０２へ送信し、次のステップＳＰ７６へ移る。これに応じて紙幣管理装置２０２の管理制御部２４１は、この切出画像データＧ２を受信して管理記憶部２４２に記憶させる。
【０１１３】
紙幣制御部２２１は、続くステップＳＰ７６〜ＳＰ７９において、第１の実施の形態におけるステップＳＰ８〜ＳＰ１１と同様の処理を行う。ただし紙幣制御部２２１は、ステップＳＰ７６において、判定結果については考慮せず、鑑定結果のみに基づいて搬送先を決定する。その後紙幣制御部２２１は、次のステップＳＰ８０へ移って入金処理手順ＲＴ５を終了する。
【０１１４】
一方、紙幣管理装置２０２の管理制御部２４１は、予め設定された時間になったとき、例えば金融機関において一日の現金自動預払機２０３の運用時間が経過して全ての入金処理を終了した後に、第１の実施の形態における取扱回数管理処理手順ＲＴ２（図８）に代えて、図１６に示す取扱回数管理処理手順ＲＴ６を実行する。
【０１１５】
管理制御部２４１は、まずステップＳＰ８１において管理記憶部２４２から１個の切出画像データＧ２を読み出し、次のステップＳＰ８２へ移る。ステップＳＰ８２において管理制御部２４１は、認識部２３３によって、第１の実施の形態におけるステップＳＰ５（図７）と同様、切出画像データＧ２に対して文字認識処理を施すことにより、文字列でなる記番号（以下これを対象記番号と呼ぶ）を認識し、次のステップＳＰ８３へ移る。
【０１１６】
その後、管理制御部２４１は、ステップＳＰ８３〜ＳＰ８９において第１の実施の形態におけるステップＳＰ２２〜ＳＰ２８（図８）と同様の処理を行い、更新後の取扱回数が閾値以上であるか否かを判定する。
【０１１７】
ステップＳＰ８９において肯定結果が得られると、このことは対象記番号が付された紙幣を回収すべきであることを表している。このとき管理制御部２４１は、次のステップＳＰ９０へ移り、登録部５２により、管理記憶部２４２に記憶している未回収記番号リストに対象記番号を登録して、次のステップＳＰ９１へ移る。
【０１１８】
一方、ステップＳＰ８９において否定結果が得られると、このことは対象記番号が付された紙幣を回収する必要が無いことを表しており、このとき管理制御部２４１は次のステップＳＰ９１へ移る。
【０１１９】
ステップＳＰ９１において管理制御部２４１は、管理記憶部２４２に記憶している全ての切出画像データについて記番号の認識処理及び取扱回数と閾値との比較処理を行ったか否かを判定する。ここで否定結果が得られると、管理制御部２４１は再びステップＳＰ８１へ戻って一連の処理を繰り返す。
【０１２０】
一方、ステップＳＰ９１において肯定結果が得られると、管理制御部２４１は次のステップＳＰ９２へ移り、通信処理部５９により、管理記憶部２４２に記憶している未回収記番号リストを各現金自動預払機２０３へ送信した後、次のステップＳＰ９３へ移って取扱回数管理処理手順ＲＴ６を終了する。
【０１２１】
因みに管理制御部２４１は、全ての現金自動預払機２０３から受信した切出画像データＧ２に対し、同様に記番号の認識処理や取扱回数と閾値との比較処理を行い、１個の未回収記番号リストを生成するようになっている。
【０１２２】
その後、現金自動預払機２０３は、出金処理を行う場合、紙幣記憶部２２２から所定の出金プログラムを読み出して実行することにより、図１７に示す出金処理手順ＲＴ７を開始してステップＳＰ１０１へ移る。
【０１２３】
ステップＳＰ１０１において紙幣制御部２２１は、主制御部１９（図１４）と連携しながら、操作表示部１６を介して利用者から出金額の入力操作を受け付け、次のステップＳＰ１０２へ移る。ステップＳＰ１０２において紙幣制御部２２１は、入力された出金額に応じた金種及び枚数の紙幣を決定して、次のステップＳＰ１０３へ移る。
【０１２４】
ステップＳＰ１０３において紙幣制御部２２１は、決定した金種の紙幣を紙幣収納庫２７から１枚繰り出し、搬送部２４により鑑別部２５へ搬送させて、次のステップＳＰ１０４へ移る。ステップＳＰ１０４において紙幣制御部２２１は、鑑別制御部３１の制御に基づき、鑑別部２５により紙幣を鑑別させ、その鑑別結果を取得して次のステップＳＰ１０５へ移る。
【０１２５】
ステップＳＰ１０５において紙幣制御部２２１は、この紙幣（以下これを対象紙幣と呼ぶ）の記番号（以下これを対象記番号と呼ぶ）を読み取り、次のステップＳＰ１０６へ移る。具体的に紙幣制御部２２１は、鑑別制御部３１により鑑別部２５から画像データＧ１を取得し、画像切出部３２により切出画像データＧ２を生成し、これを紙幣管理装置２０２へ送信することにより記番号を認識させ、認識された記番号を当該紙幣管理装置２０２から受信する。
【０１２６】
ステップＳＰ１０６において紙幣制御部２２１は、対象記番号を未回収記番号リストの各記番号と比較し、次のステップＳＰ１０７へ移る。
【０１２７】
ステップＳＰ１０７において紙幣制御部２２１は、対象記番号が未回収記番号リストに登録されているか否かを判定する。ここで否定結果が得られると、このことは対象紙幣を回収する必要が無く、出金できることを表している。このとき紙幣制御部２２１は、次のステップＳＰ１０８へ移り、搬送制御部３７の制御に基づき、搬送部２４により対象紙幣を入出金部２３へ搬送させて、次のステップＳＰ１１１へ移る。
【０１２８】
一方、ステップＳＰ１０７において肯定結果が得られると、このことは対象紙幣の取扱回数が比較的多く、回収すべきであることを表している。このとき紙幣制御部２２１は、次のステップＳＰ１０９へ移り、搬送制御部３７の制御に基づき、搬送部２４により対象紙幣をリジェクト庫２８へ搬送させて、次のステップＳＰ１１０へ移る。
【０１２９】
ステップＳＰ１１０において紙幣制御部２２１は、未回収記番号リストから対象記番号を削除することにより当該未回収記番号リストを更新し、次のステップＳＰ１１１へ移る。因みに紙幣制御部２２１は、対象記番号を他の現金自動預払機２０３へ送信することにより、各現金自動預払機２０３において記憶している未回収記番号リストからも対象記番号を削除させる。
【０１３０】
ステップＳＰ１１１において紙幣制御部２２１は、入出金部２３へ搬送した紙幣の合計金額が出金額に達したか否かを判定する。ここで否定結果が得られると、紙幣制御部２２１は再度ステップＳＰ１０３へ戻り、一連の処理を繰り返す。
【０１３１】
一方、ステップＳＰ１１１において肯定結果が得られると、紙幣制御部２２１は次のステップＳＰ１１２へ移り、入出金部２３のシャッタ２３Ｂを開放して利用者に紙幣を取り出させ、当該シャッタ２３Ｂを閉塞した後、次のステップＳＰ１１３へ移って出金処理手順ＲＴ７を終了する。
【０１３２】
［３−３．動作及び効果］
以上の構成において、第３の実施の形態による紙幣管理システム２０１では、現金自動預払機２０３において入金処理を行う際、入金された各紙幣を基に切出画像データＧ２を生成し、これを紙幣管理装置２０２へ送信して記憶させる。
【０１３３】
紙幣管理装置２０２は、現金自動預払機２０３における入金処理の終了後に、切出画像データＧ２を基に記番号を認識する。さらに紙幣管理装置２０２は、この記番号を認識した回数である取扱回数を取扱回数管理テーブルＴ１（図４）により管理することで、記番号ごとに紙幣が取り扱われた回数を計数し、この取扱回数が閾値を超えた場合、この記番号を未回収記番号リストに登録する。
【０１３４】
その後現金自動預払機２０３は、出金処理を行う際に、紙幣収納庫２７から繰り出した紙幣を鑑別し、読み取った記番号が未回収記番号リストに登録されていれば、これをリジェクト庫２８へ搬送して回収する。
【０１３５】
これにより紙幣管理システム２０１は、第１の実施の形態と同様、各現金自動預払機２０３において取り扱われた回数の合計値が比較的多い場合に、当該紙幣における損傷の程度が比較的大きいものと見なし、回収することができる。
【０１３６】
ところで紙幣管理システム２０１では、紙幣の記番号を読み取ることができなかった場合、当該紙幣の取扱回数を計数できないことになるため、回収すべきであるか否かを正しく判断できなくなる。
【０１３７】
この点に関し、紙幣管理システム２０１は、切出画像データＧ２（図５）から記番号Ｎを認識する認識処理を、入金処理が終了した後に実行する。このため紙幣管理システム２０１は、利用者を待たせること無く、認識処理に十分な時間をかけて、第１及び第２の実施の形態よりも高精度な認識結果を得ることができる。
【０１３８】
また紙幣管理システム２０１は、現金自動預払機２０３では無く、紙幣管理装置２０２の認識部２３３において認識処理を行う。このため紙幣管理システム２０１は、現金自動預払機２０３と比較して紙幣管理装置２０２の台数が格段に少ないことから、当該紙幣管理装置２０２における演算処理能力を高めたとしても、これに必要なコストの増加分を小さく抑えることができる。これにより紙幣管理システム２０１は、僅かなコストの増加により全ての記番号についての認識精度を格段に高めることができる。
【０１３９】
さらに紙幣管理システム２０１は、全ての現金自動預払機２０３について共通の未回収記番号リストを生成し、これを全ての現金自動預払機２０３へ送信する。このため紙幣管理システム２０１では、例えばある現金自動預払機２０３に入金された紙幣が取り出されて他の現金自動預払機２０３に装填された場合であっても、出金処理において記番号を基に回収することができる。
【０１４０】
また紙幣管理システム２０１は、その他の点においても第１の実施の形態による紙幣管理システム１と同様の作用効果を奏し得る。
【０１４１】
以上の構成によれば、第３の実施の形態による紙幣管理システム２０１は、現金自動預払機２０３において入金処理を行う際、入金された各紙幣を基に切出画像データＧ２を生成する。入金処理の終了後、紙幣管理装置２０２は、切出画像データＧ２を基に記番号を認識し、当該記番号を認識した回数を取扱回数として計数して、取扱回数が閾値を超えた場合、この記番号を未回収記番号リストに登録する。現金自動預払機２０３は、出金処理を行う際に、紙幣の記番号が未回収記番号リストに登録されていれば回収させる。これにより紙幣管理システム２０１は、各現金自動預払機２０３における取扱回数の合計値が比較的多い場合に、当該紙幣における損傷の程度が比較的大きいものと見なして回収することができる。
【０１４２】
［４．他の実施の形態］
なお上述した第１の実施の形態においては、紙幣制御部２１内に認識部３３を設け、現金自動預払機３において切出画像データＧ２からの記番号Ｎの認識処理を行う場合について述べた。しかしながら本発明はこれに限らず、例えば紙幣管理システム１において現金自動預払機３と通信回線４を介して接続された所定の認識装置（図示せず）や紙幣管理装置２等に対し、切出画像データＧ２を送信することで、第３の実施の形態と同様に記番号を認識させても良い。これにより、紙幣制御部２１における処理負荷を軽減させることができる。
【０１４３】
また上述した第１の実施の形態においては、紙幣管理装置２の判定部５５により取扱回数を閾値と比較することで紙幣を回収するか否かを判定し、「要回収」と判定した紙幣を現金自動預払機３に回収させる場合について述べた。しかしながら本発明はこれに限らず、例えば紙幣管理装置２において判定部５５を省略し、現金自動預払機３において紙幣を回収しないようにしても良い。この場合、例えば取扱回数に関する統計値を算出することで、紙幣の流通の様子を数値により表すことが可能となる。
【０１４４】
さらに上述した第１の実施の形態においては、管理記憶部４２に単一の閾値を記憶させておき、判定部５５において、取扱回数をこの単一の閾値と比較することで紙幣を回収するか否かを画一的に判定する場合について述べた。しかしながら本発明はこれに限らず、例えば管理記憶部４２に複数の閾値を記憶させると共に各閾値を各現金自動預払機３と対応付けておき、判定部５５において、記番号を送信してきた現金自動預払機３と対応付けられた閾値を管理記憶部４２から読み出して取扱回数と比較し、紙幣を回収するか否かを判断しても良い。これにより、第２の実施の形態と同様に、紙幣の回収に関する判断基準を金融機関毎や店舗毎に相違させることができる。
【０１４５】
さらに上述した第１の実施の形態においては、「要回収」と判断された紙幣を入金処理において回収する場合について述べた。しかしながら本発明はこれに限らず、例えば「要回収」と判断された紙幣をその後に行われる出金処理や精査処理等の他の処理において回収するようにしても良い。この場合、例えば第３の実施の形態のように、未回収記番号リストに記番号を登録しておき、出金処理等において紙幣から読み取った記番号をこの未回収記番号リストの各記番号と比較すれば良い。第２の実施の形態についても同様である。
【０１４６】
さらに上述した第３の実施の形態においては、入金処理において未回収記番号リストを参照せず、これに基づいた紙幣の回収を行わない場合について述べた。しかしながら本発明はこれに限らず、例えば入金処理において、前日までに生成され配信された未回収記番号リストと対象記番号とを照合し、一致した場合には当該紙幣を回収するようにしても良い。
【０１４７】
さらに上述した第３の実施の形態においては、紙幣管理装置２０２の取引回数管理処理において、全ての現金自動預払機２０３に関し１個の未回収記番号リストを生成する場合について述べた。しかしながら本発明はこれに限らず、例えば現金自動預払機２０３毎に個別の未回収記番号リストを生成し、これをそれぞれの現金自動預払機２０３へ送信しても良い。これにより各現金自動預払機２０３では、自らに入金され紙幣収納庫２７に収納している紙幣についてのみ記番号が未回収記番号リストに登録されているため、当該未回収記番号リストにおける記番号の登録数が極めて少なくなり、照合処理を短時間で完了することができる。
【０１４８】
さらに上述した第３の実施の形態においては、紙幣管理装置２０２の取引回数管理処理において生成した未回収記番号リストを現金自動預払機２０３へ送信し、記番号が登録された紙幣を出金処理において回収させる場合について述べた。しかしながら本発明はこれに限らず、例えば金融機関の窓口に設置される紙幣整理装置（いわゆるテラーマシン）や紙幣を計数して束ねる施封装置等、種々の装置へ送信し、それぞれにおいて紙幣を取り扱う処理を行う際に回収させるようにしても良い。
【０１４９】
さらに上述した第１の実施の形態においては、管理制御部４１の計数部５３により、各現金自動預払機３から記番号ごとに受信した回数を単純に計数して取扱回数とする場合について述べた。しかしながら本発明はこれに限らず、例えば取扱回数管理テーブルＴ１（図６）において、各記番号に対し最後に取扱回数が更新された日時を対応付けてそれぞれ格納しておき、次に現金自動預払機３から記番号が送信された際に、格納された更新日時からの経過期間が比較的長い場合に、１よりも大きい値を加算するようにしても良い。これにより、現金自動預払機３に入金されること無く市場で取り扱われていた期間における損傷の増加分を取扱回数に反映させることができる。第２及び第３の実施の形態についても同様である。
【０１５０】
さらに上述した第１の実施の形態においては、入金処理において入金された紙幣の記番号を読み取ることを１回の取り扱いとして、取扱回数を計数する場合について述べた。しかしながら本発明はこれに限らず、例えば出金処理において出金する紙幣の記番号を読み取ることや、入金処理及び出金処理の双方において紙幣の記番号をそれぞれ読み取ること、或いは精査処理等の種々の処理をそれぞれ１回の取り扱いとして、取扱回数を計数しても良い。要は、紙幣を繰り出し、搬送し、或いは収納する等して紙幣を取り扱うことにより、当該紙幣に対し僅かでも損傷を与える可能性がある場合に、これを１回として取扱回数を計数すれば良い。さらにこの場合、例えば取扱の種類毎に異なる重み付け係数を乗じて加算しても良い。第２及び第３の実施の形態についても同様である。
【０１５１】
さらに上述した第１の実施の形態においては、保守作業等において表示する表示画面Ｄ１（図１０）に対する操作に応じて、回収済記番号リストＬ１に登録された記番号を操作表示部１６に表示させ、レシートに印字し、或いは削除する場合について述べた。しかしながら本発明はこれに限らず、例えば「回収済記番号リストＬ１を紙幣管理装置へ送信する」等の他の処理を行うようにしても良く、或いはこれらのうち何れかを省略しても良く、さらには表示画面Ｄ１を表示しないようにしても良い。この場合、回収済記番号リストＬ１を生成しないようにしても良い。第２及び第３の実施の形態についても同様である。
【０１５２】
さらに上述した第１の実施の形態においては、紙幣制御部２１における鑑別制御部３１（図４）の制御に基づき鑑別部２５によって紙幣から画像データＧ１（図５）を生成し、画像切出部３２によって切出画像データＧ２を生成した上で、認識部３３によって記番号Ｎを認識する場合について述べた。しかしながら本発明はこれに限らず、例えば紙幣にＲＦＩＤ（Radio Frequency IDentifier）が埋め込まれ、これに記番号が記憶されている場合に、鑑別部２５によって無線通信により無線信号を受信し、この無線信号に所定の復調処理や復号化処理を施すことで記番号を認識するようにしても良い。要は、紙幣に種々の手法により記番号が記録されている場合に、鑑別部等によりこの記番号を含む情報を取得し、認識部等によりこの情報から記番号を認識することができれば良い。第２及び第３の実施の形態についても同様である。
【０１５３】
さらに上述した第１の実施の形態においては、１台の紙幣管理装置２及び複数台の現金自動預払機３により構成される紙幣管理システム１において、各現金自動預払機３において紙幣が取り扱われた回数を計数する場合について述べた。しかしながら本発明はこれに限らず、例えば図１８に示す現金自動預払機３０３のように、紙幣制御部３２１に照合部５１、登録部５２、計数部５３及び判定部５５等を設けると共に、紙幣記憶部３２２に取扱回数管理テーブルＴ１を記憶させ、当該現金自動預払機３０３が単独で紙幣を取り扱った回数を計数しても良い。
【０１５４】
さらに上述した第１の実施の形態においては、現金自動預払機３において入金処理を行う際に入金された紙幣の記番号を読み取り、この記番号を基に取扱回数を計数する場合について述べた。しかしながら本発明はこれに限らず、例えば金融機関の窓口に設置され当該金融機関の職員が主に使用する紙幣処理装置（いわゆるテラーマシン）や、紙幣を束ねる紙幣施封装置等、紙幣を取り扱う種々の装置において、紙幣に関する種々の処理を行う際に、読み取った記番号を基に取扱回数を計数し、また回収しても良い。
【０１５５】
さらに上述した実施の形態においては、現金自動預払機３において媒体としての紙幣が取り扱われた回数を取扱回数として計数する場合について述べた。しかしながら本発明はこれに限らず、例えば金券や商品券、証券等、一意に識別するための識別符号が付された種々の媒体を取り扱う種々の装置において、これらの媒体が取り扱われた回数を取扱回数として計数しても良い。
【０１５６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５７】
さらに上述した第１の実施の形態においては、媒体処理装置としての現金自動預払機３と管理装置としての紙幣管理装置２とにより媒体管理システムとしての紙幣管理システム１を構成し、媒体処理装置に、取得部としての鑑別部２５、鑑別制御部３１及び画像切出部３２とを設け、媒体処理装置又は管理装置の少なくとも一方に、認識部としての認識部３３を設け、管理装置に、計数部としての計数部５３と、記憶部としての管理記憶部４２とを設ける場合について述べた。しかしながら本発明はこれに限らず、その他種々の構成でなる媒体処理装置と管理装置とにより媒体管理システムを構成し、媒体処理装置に取得部とを設け、媒体処理装置又は管理装置の少なくとも一方に認識部を設け、管理装置に計数部と、記憶部とを設けても良い。
【産業上の利用可能性】
【０１５８】
本発明は、例えば利用者との間で紙幣を介した取引処理を行う現金自動預払機でも利用できる。
【符号の説明】
【０１５９】
１、１０１、２０１……紙幣管理システム、２、１０２、２０２……紙幣管理装置、３、１０３、２０３、３０３……現金自動預払機、１６……操作表示部、１９……主制御部、２０、１２０、２２０……紙幣入出金機、２１、１２１、２２１、３２１……紙幣制御部、２２、１２２、２２２、３２２……紙幣記憶部、２３……入出金部、２４……搬送部、２５……鑑別部、２６……一時保留部、２７……紙幣収納庫、２８……リジェクト庫、３１……鑑別制御部、３２……画像切出部、３３、２３３……認識部、３７……搬送制御部、３９、５９……通信処理部、４１、１４１、２４１……管理制御部、４２、２４２……管理記憶部、５１……照合部、５２……登録部、５３……計数部、５５、１５５……判定部、Ｄ１……表示画面、Ｇ１……画像データ、Ｇ２……切出画像データ、Ｎ……記番号、Ｔ１……取扱回数管理テーブル。
【図１】
2016012259.tif 000003
【図２】
2016012259.tif 000004
【図３】
2016012259.tif 000005
【図４】
2016012259.tif 000006
【図５】
2016012259.tif 000007
【図６】
2016012259.tif 000008
【図７】
2016012259.tif 000009
【図８】
2016012259.tif 000010
【図９】
2016012259.tif 000011
【図１０】
2016012259.tif 000012
【図１１】
2016012259.tif 000013
【図１２】
2016012259.tif 000014
【図１３】
2016012259.tif 000015
【図１４】
2016012259.tif 000016
【図１５】
2016012259.tif 000017
【図１６】
2016012259.tif 000018
【図１７】
2016012259.tif 000019
【図１８】
2016012259.tif 000020